(57)【要約】【課題】電気掃除機に搭載された電動送風機を駆動するスイッチング素子のようなパワーデバイスを効率的に冷却できる構造を提供する。【解決手段】パワーデバイス５１を、モータ部２２より吸込側で、支持体３２に覆われていない電動送風機１０の外面、例えば、モータケース２７とファンカバー２３との段差により形成される平面部であるフランジ部４６に配置させることにより、パワーデバイス５１によって流路５８内の気流を乱すことなく、風路損失を増大させることがない上に、遠心ファン２１による空気の流れにおいてもモータ部２２よりも上流側に位置するので、モータ部２２の熱の影響を受けることなく、パワーデバイス５１を効率的に冷却できる取付構造となる。【選択図】        図２
2005040251.tif 000002
【特許請求の範囲】
【請求項１】
モータ部とこのモータ部の回転軸に取り付けられた遠心ファンとを有する電動送風機と、この電動送風機を収納する電動送風機室と、前記電動送風機を駆動するための駆動回路と、前記電動送風機の吸込側外周部に装着される支持体と、を備えた電気掃除機において、
前記支持体を前記電動送風機室の壁に当接させ、かつ、前記駆動回路中のパワーデバイスを、前記モータ部より吸込側で、前記支持体に覆われていない前記電動送風機の外面に配置したことを特徴とする電気掃除機。
【請求項２】
前記モータ部のモータケースと、このモータケースよりも径大で前記遠心ファンを覆うファンカバーとよりなるケースを有し、
前記パワーデバイスを、前記モータケースと径大な前記ファンカバーとの段差により形成される平面部に位置させて配置したことを特徴とする請求項１記載の電気掃除機。
【請求項３】
前記遠心ファンの吐出口から前記モータ部側に向かう気流を整流するディフューザを備え、
前記パワーデバイスを、前記ディフューザに対向する部位に配置したことを特徴とする請求項２記載の電気掃除機。
【請求項４】
前記支持体を、振動吸収部材により形成したことを特徴とする請求項１記載の電気掃除機。
【請求項５】
前記支持体を、断熱部材により形成したことを特徴とする請求項１記載の電気掃除機。
【請求項６】
前記支持体を、耐熱部材により形成したことを特徴とする請求項１記載の電気掃除機。
【発明の詳細な説明】
【０００１】
【発明の属する技術分野】
本発明は、電動送風機を回転させて送風を行う電気掃除機に関する。
【０００２】
【従来の技術】
特許文献１中の図１の電動送風機では、モータケーシングの外周部とファンケーシングの外周部との段差により形成されるスペースの、モータケーシングの外周にスイッチング素子を密着して設ける例が示されている。
【０００３】
【特許文献１】
特開平６−  ２６４９４号公報（図１）
【０００４】
【発明が解決しようとする課題】
特許文献１の図１に示す電動送風機では、スイッチング素子をモータケーシングの外周に設けてある。しかしながら、ステータに近いモータケーシングの外周に取り付けられているため、ステータから発生する熱の影響を受けやすいので、スイッチング素子の冷却効果が低い。また、モータケーシングの外周は、通常、様々な目的のために各種の加工が施してあり、また、外周面形状が曲面であったりするので、スイッチング素子の配置自由度が小さい上に、スイッチング素子とモータケーシングとを密着させにくいものである。このような不具合は、加工工程の増加等によりコスト増の原因にもなる。特に、冷却をさせたいスイッチング素子のようなパワーデバイスを複数備える電気掃除機では、これらの問題が顕著になる。
【０００５】
そこで、本発明の目的は、電気掃除機に搭載された電動送風機を駆動するスイッチング素子のようなパワーデバイスを効率的に冷却することができる構造を提供することである。
【０００６】
【課題を解決するための手段】
本発明の電気掃除機は、モータ部とこのモータ部の回転軸に取り付けられた遠心ファンとを有する電動送風機と、この電動送風機を収納する電動送風機室と、前記電動送風機を駆動するための駆動回路と、前記電動送風機の吸込側外周部に装着される支持体と、を備えた電気掃除機において、前記支持体を前記電動送風機室の壁に当接させ、かつ、前記駆動回路中のパワーデバイスを、前記モータ部より吸込側で、前記支持体に覆われていない前記電動送風機の外面に配置することで、電動送風機を駆動するスイッチング素子のようなパワーデバイスを効率的に冷却できるようにした。
【０００７】
【発明の実施の形態】
本発明の電気掃除機の第１の実施の形態を図１ないし図５に基づいて説明する。図１は本実施の形態の電気掃除機を示す縦断側面図、図２はその電動送風機の構成を一部切欠いて示す側面図、図３はその一部の内部構成例を示す平面図、図４はディフューザ構成例を示す平面図及び底面図、図５は電動送風機の駆動回路を示す概略回路図である。
【０００８】
まず、図１に示す電気掃除機の縦断側面図を参照して、電気掃除機の構成について説明する。本実施の形態の電気掃除機の掃除機本体１は、上面を開口した例えばアクリロニトリル−ブタジエン−スチレン（ＡＢＳ）などにて形成された下部ケース２ａ、及び、この下部ケース２ａの後部上面を閉塞する同材質の上部ケース２ｂが、前面を含む周縁にバンパ（図示せず）を挟持させて接合されて前側上面部を開口したケース体としての本体ケース２を有する。この本体ケース２に前側上面部の開口を開閉自在に閉塞する蓋体３を回転自在に軸支させることにより形成されている。
【０００９】
本体ケース２には、進行方向の前側下面に旋回自在な旋回輪４が取付けられ、本体ケース２の後側側面に大径の従動輪５が回転自在に設けられ、掃除機本体１は旋回輪４と従動輪５とにより図示しない床面上を走行可能となっている。また、本体ケース２の上部には、上下方向に摺動自在のハンドル６が設けられている。
【００１０】
一方、掃除機本体１内には、格子状の連通孔７を有する隔壁８により上方が開放された集塵室９が、掃除機本体１の進行方向前側に区画形成されている。この集塵室９の後方には、電動送風機１０を収納した電動送風機室１１が区画形成されている。この集塵室９内には、この集塵室９内に形成されたホルダ１２により集塵袋１３が着脱自在に装着されている。
【００１１】
また、隔壁８の前面には、その連通孔７を覆う補助集塵フィルタ１４が着脱自在に装着されている。この補助集塵フィルタ１４は、枠体１５と、この枠体１５に嵌挿される補助フィルタ１６とを有している。
【００１２】
集塵袋１３及び補助集塵フィルタ１４は、集塵室９の上面開口を介して着脱される。また、蓋体３は、上部ケース２ａに後端部が枢着されており、集塵室９を上方から開閉自在に覆うように形成されている。
【００１３】
一方、電動送風機室１１内には電動送風機１０が配設されている。この電動送風機１０は、遠心ファン２１を回転駆動するモータ部２２と、遠心ファン２１を覆うファンカバー２３とを有している。モータ部２２は、主にステータ２４とロータ２５とからなる。ファンカバー２３の前面中央部には吸込開口部２６が形成され、モータ部２２のモータケース２７には電動送風機排気口２８が開口形成されている。ファンカバー２３とモータケース２７とによりケースが構成されている。また、モータ部２２の後端面の略中央には、遠心ファン２１を回転駆動させるロータ軸２９を支持する軸受３０ｂが内設された軸受収納部３１ｂが、後方に突出形成されている。
【００１４】
さらに、電動送風機１０の前端部には、前端の外周縁に例えば環状で天然ゴムや合成ゴムの支持体３２が嵌合されている。一方、上部ケース２ｂの下面及び下部ケース２ａの上面には、電動送風機室１１の壁の一部を構成する上リブ前部３３及び下リブ前部３４が突出形成されている。これらの上リブ前部３３及び下リブ前部３４に支持体３２を当接させ、電動送風機１０を位置決め固定する。
【００１５】
そして、電動送風機１０の駆動により生じる負圧により、支持体３２は潰され、電動送風機１０の前端側は、この支持体３２により、電動送風機１０の吸込開口部２６が集塵室９に連通孔７を介して気密に連通する。
【００１６】
支持体３２は、断面が略Ｌ字の環状の形状をしており、電動送風機１０と電動送風機室１１との壁との間に配置される。支持体３２の材質としては、前述したように天然ゴムや合成ゴムなどの振動吸収部材である。本実施の形態では、電動送風機１０を駆動するスイッチング素子５１等のパワーデバイスが電動送風機１０の外面に直接的に取り付けられているため、電気掃除機を移動させた時に床面の段差や凹凸から受ける本体ケース２の振動が、略そのまま、パワーデバイス５１に伝わる。しかしながら、支持体３２を振動吸収部材で形成することにより、本体ケース２からの振動の伝わりを低く抑えることが可能となるため、パワーデバイス５１の信頼性が向上する。
【００１７】
ここで、電動送風機１０を図２及び図３を参照してより詳細に説明する。電動送風機１０は、モータケース２７を有し、このモータケース２７の内側にモータ部２２が収納されている。図１や図２に示すモータはブラシ付きモータである。そして、モータケース２７の前端部には、長手板状のブラケット３５がモータケース２７の径方向に架橋してフレーム開口部３６の一部を覆うように、ねじ３７により取付けられている。ブラケット３５の略中央には、前方に向けて略円筒状に突出し内周側に軸受３０ａを収納し略中央に貫通孔３８を開口する軸受収納部３１ａが設けられている。なお、ブラケット３５にて覆われていないモータケース２７のフレーム開口部３６が通風孔となる。
【００１８】
また、ブラケット３５の前側には、ディフューザ３９が固定されている。さらに、このディフューザ３９の前方に遠心ファン２１が配置されている。そして、モータケース２７の外周部にはファンカバー２３が嵌合され、このファンカバー２３により遠心ファン２１が覆われている。このファンカバー２３は、前面の中央部に遠心ファン２１の通風口に対向する吸込開口部２６を形成するとともに、後面の全面に後部開口部（図示せず）を形成して、略円筒状に形成されている。
【００１９】
ディフューザ３９は、図４に示すように、略円板状の円板部４１と、その円板部４１の略中心に形成されてロータ軸２９が貫通する貫通孔４２と、ブラケット３５にネジで固定するためのネジ孔４３ａ、４３ｂと、遠心ファン２１の外周部に位置するようにディフューザ３９の外周縁部寄りに立設された複数の円弧状ブレード４４と、円板部４１の他面側である裏面に渦巻状に立設された複数の円弧状ブレード４５と、を備えている。このようなディフューザ３９は、電動送風機１０のフランジ部４６に対向して嵌挿され、ブラケット３５にネジで固定される。
【００２０】
このような構成において、ロータ軸２９が回転すると、その回転と一体に遠心ファン２１が回転し、この回転によって吸込空気が、吸込開口部２６から遠心ファン２１を通り、遠心ファン吐出口４７から吹き出される。そして、この空気は、ファンカバー２３の内周面に沿って円弧状ブレード４４の間を、軸方向に広がるように流れる。次に、この空気は、円板部４１の裏面側において、円弧状ブレード４５の間を渦巻状にディフューザ３９の中心に向けて流れる。このようにして、ディフューザ３９は、遠心ファン吐出口４７から吹き出される空気を、一様に整流させ、そして、モータ部２２へと導く。
【００２１】
一方、モータ部２２は、モータケース２７に固定されたステータ２４と、このステータ２４の内側にロータ２５が配置されている。ロータ２５は、軸心回転軸としてのロータ軸２９の両端部が軸受３０ａ及び３０ｂに回転自在に軸支されてモータケース２７内に略同軸上に配設されている。さらに、モータケース２７の後部近傍の周面には、略径方向に位置して排気口としての電動送風機排気口２８が開口形成されている。
【００２２】
このような構成において、ロータ軸２９が回転すると、その回転と一体に遠心ファン２１が回転し、この回転によって吸引空気が、ファンカバー２３の吸込側に形成された吸込開口部２６から遠心ファン２１、遠心ファン吐出口４７、ディフューザ３９、モータ部２２、さらに電動送風機排気口２８へと導かれる。
【００２３】
次に、電動送風機１０の駆動回路の構成を図５に示す回路図を参照して説明する。電動送風機１０は、電力制御用のパワーデバイスであるスイッチング素子５１を介して商用交流電源５２に接続されている。このスイッチング素子５１の制御端子には、マイコン５３などで構成される電気掃除機制御部５４が接続されている。これらスイッチング素子５１及び電気掃除機制御部５４は回路基板５５に実装されている。さらに、この電気掃除機制御部５４には、手元操作部５６が接続されている。この手元操作部５６は、電動送風機１０の電源スイッチを兼ね、この電動送風機１０を各々異なる駆動状態にする複数種類の運転モードを選択することができるように構成されている。具体的には、運転モードを停止状態とする停止操作ボタン５６ａ、運転モードを弱運転状態とする弱運転操作ボタン５６ｂ、運転モードを強運転状態とする強運転操作ボタン５６ｃが一列に順次並んで配設されている。このような構成で、例えば強運転状態の時に、電動送風機１０は３０，０００ｒｐｍレベルの高速で回転し、ゴミを吸引する。
【００２４】
このような構成において、本実施の形態では、このような駆動回路中に含まれるスイッチング素子５１などのパワーデバイスを、モータ部２２より吸込側で、支持体３２に覆われていない電動送風機１０の外面、具体的には、モータケース２７よりもファンカバー２３の方が径大となるようにその径を異ならせて形成し、これらのモータケース２７とファンカバー２３との段差により形成される平面部であるフランジ部４６に配置し、例えば、ネジ５７により固定されている。
【００２５】
このようなスイッチング素子５１（パワーデバイス）の取付構造によれば、当該スイッチング素子５１が電動送風機１０内の風路中に配置されておらず電動送風機１０（モータケース２７やファンカバー２３）の外面に配置されているので、電動送風機１０の内部の流路における空気流を乱すことはない。よって、スイッチング素子５１によって当該電動送風機１０の流路損失を増大させることなく、スイッチング素子５１の熱をモータケース２７やファンカバー２３に逃がすことができる。また、スイッチング素子５１が配置される部位は、遠心ファン２１による冷却気流においてモータ部２２よりも上流側に離れた位置にあるので、モータ部２２が発生する熱の影響が小さく、冷却効果の高い部位でもあり、スイッチング素子５１を効率よく冷却することができる。即ち、電動送風機１０の動作時には、スイッチング素子５１が配置されたフランジ部４６の内部を流れる空気の温度は、モータ部２２よりも上流側にあるので、モータ部２２の下流側の空気温度よりも低く、冷却効果が高いものとなる。また、このようなフランジ部４６はファンカバー２３とモータケース２７との径の違いを利用した段差部であり、構造的に平面部として形成することが容易であり、このような平面にスイッチング素子５１を取り付ければよいので、モータケース２７の外周面に取り付けるような場合に比べて、当該スイッチング素子５１の取り付け自由度の高いものとなる。
【００２６】
加えて、本実施の形態では、このような段差部に形成されているフランジ部４６のうち、ディフューザ３９の対向する位置にスイッチング素子５１が配置されている。この結果、ディフューザ３９に対向しないフランジ部４６に配置したときよりも冷却効果が大きいという結果が得られたものである。
【００２７】
このようなスイッチング素子５１の取り付け位置は、当該電動送風機１０の構造的に見た場合、冷却気流が流れる流路全体中において、径大な遠心ファン２１の吐出口４７部分と径小なモータケース２７内に収納されたモータ部２２側部分とを繋ぐ流路５８部分で、圧力勾配の大きな部位であり、この部分の流路５８を流れる冷却気流はその流速が速く、フランジ部４６の冷却効果は大きいので、当該フランジ部４６に配置されたスイッチング素子５１を効果的に冷却することができると考えられる。特に、本実施の形態においては、このようなフランジ部４６は、遠心ファン２１の吐出口４７からモータ部２２側に向かう気流を整流するディフューザ３９に対向する部位でもあり、このようなディフューザ３９に対向する部分の流路５８を流れる冷却気流によるフランジ部４６の冷却効果は極めて大きいと考えられ、当該フランジ部４６に配置されたスイッチング素子５１を効果的に冷却することを可能となる。
【００２８】
また、本実施の形態ではスイッチング素子５１と支持体３２とが近接しているため、電動送風機１０を駆動しているときに支持体３２がスイッチング素子５１の熱の影響を受ける。従って、支持体３２の材料として、シリコーンゴムやエチレンプロピレンゴムなどの耐熱性の良い材料を用いることによって、電気掃除機の信頼性が向上する。
【００２９】
また、同様に、電動送風機１０を駆動しているときにスイッチング素子５１が発生する熱により、電動送風機室１１の壁、即ち、本体ケース２が変形しないように、支持体３２を断熱部材で形成する必要がある。断熱部材としては、天然ゴムや合成ゴムの発泡体を用いる。同じ材料の発泡体でも、その断熱性は密度によって異なるので、スイッチング素子５１が発生する熱に応じて調整が必要である。
【００３０】
図６及び図７に変形例を示す。図６は変形例を示す電動送風機の一部を切欠いて示す側面図、図７はその一部の内部構成例を示す平面図である。前述した本実施の形態では、取付性、冷却効率等を考慮して段差により形成される平面部（フランジ部４６）にスイッチング素子５１を配置させるようにしたが、ステータ２４から発生する熱の影響を受けずに効率的に冷却できる点に着目した場合であれば、モータ部２２より吸込側で、支持体３２に覆われていない電動送風機１０の外面としては、例えば、図６及び図７に示すように、ファンカバー２３の径大な外周面部分に配置させて設けるようにしてもよい。
【００３１】
本発明の第２の実施の形態を図８及び図９に基づいて説明する。第１の実施の形態で示した部分と同一部分は同一符号を用いて示し、説明も省略する（後述の実施の形態でも同様とする）。
【００３２】
図８は本実施の形態の電動送風機の構成を一部切欠いて示す側面図、図９はその一部の内部構成例を示す平面図である。
【００３３】
本実施の形態は、基本的には、前述の第１の実施の形態に準ずるものであるが、本実施の形態ではモータケース２７に代えてモータケース６１が用いられている。ここに、本実施の形態のモータケース６１は、ファンカバー２３側が開口部６２として開口してモータ部２２を収納する主モータケース６３と、この主モータケース６３の開口部６２側を閉塞するようにこの主モータケース６３にねじ６４等により取り付けられてファンカバー２３に連結される径大な円盤状の副モータケース６５とよりなり、副モータケース６５には主モータケース６３内をファンカバー２３内に連通させるための複数個の通風孔６６が例えば図８に示すような扇形形状に形成されている。また、副モータケース６５の略中央には、前方に向けて略円筒状に突出し、その内周側に軸受３０ａを収納しロータ軸２９用の貫通孔３８が開口形成された軸受収納部３１ａが設けられている。
【００３４】
このような構成において、本実施の形態では、主モータケース６３よりも径大な副モータケース６５の外周部６７が、遠心ファン２１の吐出口４７とモータ部２２との間の流路５８を形成するものである。そして、支持体３２に覆われない外周部６７の外面にパワーデバイスとしてのスイッチング素子５１がねじ５７により配置固定されている。
【００３５】
従って、副モータケース６５の外周部６７を利用する本実施の形態の場合も、フランジ部４６を利用した第１の実施の形態の場合と同様の作用・効果を奏することができる。
【００３６】
本発明の第３の実施の形態を図１０ないし図１２に基づいて説明する。図１０は本実施の形態に用いられる電動送風機の構成を一部切欠いて示す側面図、図１１はその一部の内部構成例を示す平面図、図１２は当該電気掃除機の駆動回路を示す概略回路図である。
【００３７】
本実施の形態は、基本的には、第１の実施の形態に準ずるものであるが、本実施の形態ではブラシ付きのモータ２２に代えてブラシレスモータ７０を用いた適用例を示す。
【００３８】
まず、ブラシレスモータ７０を用いる場合の駆動回路を含む駆動制御系の構成例を図１２を参照して説明する。本実施の形態では、直流電源部７１を駆動源として駆動されるインバータ駆動回路７２から発生する交流電流によってブラシレスモータ７０からなる電動送風機７３を回転駆動させる。電動送風機７３の駆動を制御する電気掃除機制御部７４とドライブ回路７５ａ〜７５ｆとが接続され、インバータ駆動回路７２を構成するパワーＭＯＳＦＥＴ等のパワーデバイスであるスイッチング素子７６ａ〜７６ｆをスイッチング制御する。以下、各部の詳細を説明する。
【００３９】
直流電源部７１は、ニッケルカドミウム（ＮｉＣｄ）電池、ニッケル水素電池、又はリチウムイオン電池などの２次電池を複数本組み合わせた組電池、又は、商用交流電源を整流平滑したものである。この直流電圧が、インバータ駆動回路７２に供給される。
【００４０】
インバータ駆動回路７２は、６個のスイッチング素子７６ａ〜７６ｆを３相ブリッジ接続した構成になっている。これらのスイッチング素子７６ａ〜７６ｆは、マイコン７７を主体とする電気掃除機制御部７４から出力されるパルス信号に基づき、高電圧側ドライブ回路７５ａ〜７５ｃ及び低電圧側ドライブ回路７５ｄ〜７５ｆにて駆動され、交流電流を電動送風機７３のＹ結線の巻線７８ａ〜７８ｃに供給する。
【００４１】
また、電気掃除機制御部７４には、電動送風機７３の始動、停止又は電力を選択するための手元操作部７９、インバータ駆動回路７２に流れる電流を検出する電流検出手段８０、そして、入力電圧を検出する入力電圧検出手段８１等が接続されている。
【００４２】
さらに、電気掃除機制御部７４には、ステータ８２に囲まれたロータ８３の永久磁石位置を検出するための位置検出手段８４が接続されている。このような位置検出手段８４としては、電気角１２０°間隔で設置した３つの磁気センサを用いる。磁気センサとしては、ホールセンサやホールＩＣ等がある。また、その他の永久磁石の位置検出方法として、特に図示しないが光学式パルスエンコーダを使用する方法や、巻線７８ａ〜７８ｃに誘起される電圧を電圧位相検出手段によって検出する方法などが使用可能である。
【００４３】
このような構成において、パワーデバイスである複数個のスイッチング素子７６ａ〜７６ｆは、回路基板８５に実装され、さらに、ねじ８６などによって、モータ部２２より吸込側で、支持体３２に覆われていない電動送風機７３の外面位置として、モータケース２７のフランジ部４６の外面に配置されて固定されている。この場合、１個のみのスイッチング素子５１とは異なり複数個のスイッチング素子７６ａ〜７６ｆが対象となるが、これらのスイッチング素子７６ａ〜７６ｆは図１１に示すように、ブラシレスモータ７０のロータ軸２９を中心に略同一円周上（厳密に同一円周上でなくてもよい）に位置させて等間隔で放射状に配置されている。
【００４４】
このようなスイッチング素子７６ａ〜７６ｆの取り付け配置構造とすることによって、前述の第１の実施の形態の場合と同様に、スイッチング素子７６ａ〜７６ｆを、電動送風機７３の風路損失を増大させることなく効果的に冷却することができる。特に、本実施の形態のようなブラシレスモータ７０を駆動させる場合、スイッチング素子が複数個必要であり、これらの複数個のスイッチング素子７６ａ〜７６ｆを、電動送風機７３の流路損失を増大させることなく、効果的に冷却することができる本実施の形態は、特に効果的である。また、これらの複数個のスイッチング素子７６ａ〜７６ｆをロータ軸２９を中心に略同一円周上に位置させて放射状に配置させているので、これらのスイッチング素子７６ａ〜７６ｆの冷却のばらつきを軽減し、均等に冷却する上でも効果的となり、スイッチング素子７６ａ〜７６ｆの動作、従って、回路動作を安定させることができる。
【００４５】
なお、本実施の形態は、第１の実施の形態方式への適用例として説明したが、副モータケース６５を用いる第２の実施の形態方式であっても同様に適用できる。
【００４６】
また、これらの実施の形態では、パワーデバイスとしてトライアックやパワーＭＯＳＦＥＴ等のスイッチング素子５１、７６ａ〜７６ｆの例で説明したが、これらの素子に限らず、駆動により発熱を伴うもの、例えば、ＩＧＢＴ（Ｉｎｓｕｒａｔｅｄ  Ｇａｔｅ  Ｂｉｐｏｌａｒ  Ｔｒａｎｓｉｓｔｏｒ）等のスイッチング素子も適用対象となり、又は、これらの素子単体に限らず、１チップにパッケージ化又はデバイス化したものでも適用対象となり、さらには、抵抗素子の場合にも適用対象となり得る。
【００４７】
【発明の効果】
本発明によれば、電動送風機の風路損失を増加させることなく、スイッチング素子等のパワーデバイスを効率的に冷却できる構造の電気掃除機を提供することができる。
【図面の簡単な説明】
【図１】本発明の第１の実施の形態の電気掃除機の内部構成を示す縦断側面図である。
【図２】その電動送風機の構成を一部切欠いて示す側面図である。
【図３】その一部の内部構成例を示す平面図である。
【図４】ディフューザ構成例を示す平面図及び底面図である。
【図５】電動送風機の駆動回路を示す概略回路図である。
【図６】変形例の電動送風機の構成を一部切欠いて示す側面図である。
【図７】その一部の内部構成例を示す平面図である。
【図８】本発明の第２の実施の電動送風機の構成を一部切欠いて示す側面図である。
【図９】その一部の内部構成例を示す平面図である。
【図１０】本発明の第３の実施の電動送風機の構成を一部切欠いて示す側面図である。
【図１１】その一部の内部構成例を示す平面図である。
【図１２】電気掃除機の制御系の構成例を示す概略回路図である。
【符号の説明】
１０      電動送風機
１１      電動送風機室
２１      遠心ファン
２２      モータ部
２３      ファンカバー
２７      モータケース
３２      支持体
３９      ディフューザ
４６      平面部
５１      パワーデバイス
６１      モータケース
７６      パワーデバイス
【図１】
2005040251.tif 000003
【図２】
2005040251.tif 000004
【図３】
2005040251.tif 000005
【図４】
2005040251.tif 000006
【図５】
2005040251.tif 000007
【図６】
2005040251.tif 000008
【図７】
2005040251.tif 000009
【図８】
2005040251.tif 000010
【図９】
2005040251.tif 000011
【図１０】
2005040251.tif 000012
【図１１】
2005040251.tif 000013
【図１２】
2005040251.tif 000014